(57)【要約】【課題】  浴室内の壁面の大掛かりな設計変更を伴うことなく、鏡部材の設置位置を容易且つ自在に変更することができ、使用者の利便性の向上が可能な浴室を提供することを目的とする。【解決手段】  本発明にかかる浴室１００の構成は、壁面に、該壁面の水平方向と垂直方向にそれぞれ所定間隔ごとに複数設置されるフック１６０と、フックに掛合される掛合部１９０（１９０ａ、１９０ｂ、１９０ｃ、１９０ｄ）と鏡面部１８２とを有する鏡部材１８０と、を備え、設置されたフックが掛合部に掛合することにより、鏡部材がフックに掛着され、壁面に鏡部材が設置されることを特徴とする。【選択図】  図１
2010110455.tif 000002
【特許請求の範囲】
【請求項１】
壁面に、該壁面の水平方向と垂直方向にそれぞれ所定間隔ごとに複数設置されるフックと、
前記フックに掛合される掛合部と鏡面部とを有する鏡部材と、を備え、
前記設置されたフックが前記掛合部に掛合することにより、前記鏡部材が該フックに掛着され、前記壁面に該鏡部材が設置されることを特徴とする浴室。
【請求項２】
前記鏡部材は略長方形または略楕円形であり、
前記掛合部は、前記鏡部材の長手方向に平行に２以上設けられることを特徴とする請求項１に記載の浴室。
【請求項３】
前記掛合部は、
前記鏡部材の長手方向を略水平としたときに、前記壁面の水平方向に所定間隔ごとに複数設置されたフックに掛合される第１掛合部と、
前記鏡部材の短手方向を略水平としたときに、前記壁面の垂直方向に所定間隔ごとに複数設置されたフックに掛合される第２掛合部とからなることを特徴とする請求項２に記載の浴室。
【請求項４】
前記複数のフックの水平方向の間隔は、前記略長方形の鏡部材の短手方向の幅と略同一であって、
前記鏡部材を、短辺を水平にして、左右に２以上隣接させて前記壁面に設置したときに、該２以上の鏡部材は幅広の鏡を構成することを特徴とする請求項３に記載の浴室。
【請求項５】
前記複数のフックの垂直方向の間隔は、前記略長方形の鏡部材の短手方向の幅と略同一であって、
前記鏡部材を、長辺を水平にして、上下に２以上隣接させて前記壁面に設置したときに、該２以上の鏡部材は幅広の鏡を構成することを特徴とする請求項３に記載の浴室。
【請求項６】
前記フックは、大径の頭部と小径の軸部とを有し、
前記頭部を前記壁面から手前に引き出すことにより、該フックに前記鏡部材を吊り下げ可能となり、
前記引き出した頭部を前記壁面に向かって押し込むことにより、前記軸部を該頭部または該壁面内に収納可能であることを特徴とする請求項１に記載の浴室。
【発明の詳細な説明】
【技術分野】
【０００１】
本発明は、鏡部材の設置位置を自在に変更可能な壁面を備える浴室に関する。
【背景技術】
【０００２】
使用者が浴室で体や髪を洗う際に自身の姿を視認するために、従来から浴室には備え付けの鏡部材が設けられている。これにより、使用者は自身の姿を視認し、体や髪の洗い残し等を確認することができ、利便性が向上する。
【０００３】
上記の備え付けの鏡として、例えば特許文献１には、浴室の壁面に取り付けて使用する鏡と、鏡の下部を支えて浴室の壁面に固定する鏡受け金具と、鏡の上部を浴室の壁面に押さえて固定する鏡押さえ金具と、鏡の上部と鏡押さえ金具を覆う上カバーと、鏡の下部と鏡受け金具を覆い、下面部に排水孔を有し、鏡の下端面との間に空間部を形成するよう設けた下カバーとを備えた浴室装置が開示されている。これによれば、鏡を確実に固定すると共に、安全に使用でき、また、安価に見栄えを良くし、そして鏡下端部に水や洗剤が溜り難い構成として鏡裏面が腐食し難くして信頼性の高い使い勝手のよい浴室ユニットを提供することができるとしている。
【０００４】
しかし、上記のように備え付けの鏡部材であると、例えば、鏡部材が浴室の壁面の上方に設置されていた場合、大人にとっては使い勝手がよいかもしれないが、大人と子供では身長が大きく異なるため、子供は鏡部材に自身の姿が映らない場合がある。したがって、浴室の壁面の上方に設置された鏡部材は、子供が使用できず、使い勝手が悪くなる可能性がある。
【０００５】
また例えば、鏡部材が浴室の壁面の下方に設置されていた場合、風呂イス等に座って体や髪を洗う使用者にとっては使い勝手がよいが、立って体や髪を洗う使用者にとっては使い勝手が悪い。
【０００６】
したがって、備え付けの鏡部材の設置位置が必ずしも使用者の使い勝手がよい位置であるとは限らない。また、使い勝手がよいか否かは使用者ごとに体型や感覚が異なるため、鏡部材をすべての使用者にとって使い勝手がよい位置、すなわちすべての使用者に対して適切な位置に設置することは容易ではない。
【０００７】
更に、備え付けの鏡部材であると、これを浴室の壁面から取り外せないためその清掃を行いづらい。故に、鏡部材の背面にカビ等の細菌類が繁殖しやすく、また清掃に煩雑な手間がかかり、鏡部材の周辺が不衛生になりがちであった。
【０００８】
したがって、上述した不具合を解消するために、例えば特許文献２には、表面が鏡面仕上げされた金属板の裏面に磁石からなるシート材を設けた浴室用鏡が開示されている。これによれば、取付場所を容易に変更でき、壁面における浴室用鏡の周囲部分の清掃作業が容易になるとしている。
【特許文献１】特開２００４−４１２８７号公報
【特許文献２】特開２００７−２２２３６２号公報
【発明の開示】
【発明が解決しようとする課題】
【０００９】
特許文献２に記載の技術であると、壁面が磁性を有する材料で構成されている場合には浴室用鏡の取付位置を容易且つ自在に変更することが可能である。しかし、壁面が磁性を有する材料で構成されていない場合には、浴室用鏡を壁面に取り付けることができない。したがって、壁面が磁性を有する材料で構成されていない場合には、壁面を磁性を有する材料からなる部材に変更するか、壁面に磁性を有する材料または金属からなるパネル等の部材を設置しなくてはならない。故に、いずれにおいても浴室内の壁面の大掛かりな設計変更を伴うため、手間とコストを要してしまう。
【００１０】
本発明は、このような課題に鑑み、浴室内の壁面の大掛かりな設計変更を伴うことなく、鏡部材の設置位置を容易且つ自在に変更することができ、使用者の利便性の向上が可能な浴室を提供することを目的としている。
【課題を解決するための手段】
【００１１】
上記課題を解決するために、本発明にかかる浴室の代表的な構成は、壁面に、該壁面の水平方向と垂直方向にそれぞれ所定間隔ごとに複数設置されるフックと、フックに掛合される掛合部と鏡面部とを有する鏡部材と、を備え、設置されたフックが掛合部に掛合することにより、鏡部材がフックに掛着され、壁面に鏡部材が設置されることを特徴とする。
【００１２】
上記構成によれば、フックが壁面の水平方向に複数且つ垂直方向に複数設置されるため、フックは壁面に略碁盤目状に設置されることとなる。これにより、壁面の水平方向且つ垂直方向、すなわち壁面上に鏡部材を設置することが可能となる。したがって、壁面に設置されたフックのうち、使用者が所望する位置のフックに鏡部材の掛合部を掛合することにより、鏡部材がフックに掛着され、フックに鏡部材を吊り下げる、すなわち壁面に鏡部材を設置することが可能となる。これにより、使用者は鏡部材の設置位置を容易且つ自在に所望の位置に変更することができるため、浴室での利便性が向上する。
【００１３】
また、壁面に複数設置されたフックそれぞれに鏡部材を吊り下げることができ、壁面の水平方向および垂直方向に複数の鏡部材を設置することが可能となる。更に、吊り下げに要するフックを水平方向または垂直方向に２つ以上必要とする部材を壁面に設置することができる。更に、壁面に設置する部材がフックのみであることから、浴室内の壁面の大掛かりな設計変更を伴わないため、手間とコストを要することがない。
【００１４】
上記の鏡部材は略長方形または略楕円形であり、掛合部は、鏡部材の長手方向に平行に２以上設けられるとよい。
【００１５】
鏡部材が長方形または楕円形であることから、使用者は好みに応じて鏡部材の縦横を任意に変更することができる。したがって、鏡部材を、その長手方向を略水平とすれば横長の鏡として、その短手方向を略水平とすれば縦長の鏡として使用することができ、利便性が向上する。また、鏡部材の長手方向に平行に２以上の掛合部が設けられていることで、鏡部材を壁面に設置した際の安定性を向上することが可能となる。
【００１６】
上記の掛合部は、鏡部材の長手方向を略水平としたときに、壁面の水平方向に所定間隔ごとに複数設置されたフックに掛合される第１掛合部と、鏡部材の短手方向を略水平としたときに、壁面の垂直方向に所定間隔ごとに複数設置されたフックに掛合される第２掛合部とからなるとよい。
【００１７】
上記構成によれば、鏡部材を、横長の鏡として使用する場合には、壁面の水平方向に設置された複数のフックを第１掛合部に掛合し、縦長の鏡として使用する場合には、壁面の垂直方向に設置された複数のフックを第２掛合部に掛合し、鏡部材を壁面に設置することが可能となる。
【００１８】
上記の複数のフックの水平方向の間隔は、略長方形の鏡部材の短手方向の幅と同一であって、鏡部材を、短辺を水平にして、左右に２以上隣接させて壁面に設置したときに、２以上の鏡部材は幅広の鏡を構成するとよい。これにより、鏡部材を左右（水平方向）に並設し、２以上（複数）の鏡部材を一体の大きな鏡として使用することができるため、利便性が向上する。
【００１９】
上記の複数のフックの垂直方向の間隔は、略長方形の鏡部材の短手方向の幅と略同一であって、鏡部材を、長辺を水平にして、上下に２以上隣接させて壁面に設置したときに、２以上の鏡部材は幅広の鏡を構成するとよい。これにより、鏡部材を上下（垂直方向）に並設し、２以上（複数）の鏡部材を一体の大きな鏡として使用することができるため、利便性が向上する。
【００２０】
上記のフックは、大径の頭部と小径の軸部とを有し、頭部を壁面から手前に引き出すことにより、フックに鏡部材を吊り下げ可能となり、引き出した頭部を壁面に向かって押し込むことにより、軸部を頭部または壁面内に収納可能であるとよい。
【００２１】
上記構成により、フックの頭部を壁面から手前に引き出すという簡単な操作で、フックを使用することが可能となる。また、フックの頭部を壁面に向かって押し込むという簡単な操作で、フックの軸部を頭部または壁面内に収納できる。これにより、フックは壁面上にその厚み分だけ若干突出した状態となり、フック内部はほぼ密閉された状態となる。したがって、フック内部への水等の浸入を防ぐことができ、フック内部でのカビ等細菌類の繁殖を防止し、衛生状態を良好に保つことが可能となる。
【００２２】
またフックの軸部収納時には、フックは壁面上にその厚み分だけ若干突出した状態となることから、フックにより壁面上には微小な凸部が形成されるものの、凹部が形成されることはない。したがって、壁面の清掃が容易であり、且つ浴室の美観を損ねることがない。更に、フックが頭部を有することで、吊り下げられた鏡部材はフックの頭部により掛止されるため、部材がフックから脱落することがない。
【発明の効果】
【００２３】
本発明によれば、浴室内の壁面の大掛かりな設計変更を伴うことなく、鏡部材の設置位置を容易且つ自在に変更することができ、使用者の利便性の向上が可能な浴室を提供することができる。
【発明を実施するための最良の形態】
【００２４】
以下に添付図面を参照しながら、本発明の好適な実施形態について詳細に説明する。かかる実施形態に示す寸法、材料、その他具体的な数値などは、発明の理解を容易とするための例示に過ぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００２５】
図１は、本実施形態にかかる浴室１００を示す図である。なお、本実施形態においては、近年家庭に最も普及しているユニットバスを浴室１００として例示するがこれに限定するものではない。
【００２６】
図１に示すように、ユニットバスである浴室１００は、壁面で区画された空間であり、壁面１１２、１１４および床面１１６により構成される。なお、壁面１１２、１１４以外の壁面、および浴室１００外に設けられた脱衣所と通じるドアは、理解を容易にするため図示を省略する。
【００２７】
壁面１１２は、後述する浴槽１２０に対向する壁面である。壁面１１４は、後述する浴槽１２０に隣接し、水栓であるカラン１３０を備える壁面である。床面１１６は、使用者が体や髪を洗う際に洗い場となる面である。なお、壁面１１２および１１４は、各々２つに分割されているように見えるが、これは壁面１１２および１１４が、共に２つのパネルから構成されているからである。本実施形態では、２つのパネルから構成される面を１つの壁面として説明する。
【００２８】
また浴室１００は、浴槽１２０、カラン１３０、シャワー１４０、照明１５０、フック１６０、鏡部材１８０（１８０ａ、１８０ｂおよび１８０ｃ）、収納部材２００および２０２を備える。
【００２９】
浴槽１２０は、湯が貯留され、使用者が入浴するための槽である。カラン１３０およびシャワー１４０は水栓であり、給湯装置（図示せず）から湯水が供給される。
【００３０】
照明１５０は、浴室１００内の調光を行う機器である。本実施形態では、照明１５０は、浴槽１２０に対向する壁面１１２のうち、壁面１１２の水平方向の中央よりもカラン１３０に近い位置に設置される。これにより、浴槽１２０に対向する壁面１１２に設けられた鏡部材１８０を用いる場合、またカラン１３０を備える壁面１１４に設けられた鏡部材１８０を用いる場合のいずれにおいても、照明１５０から採光することが可能となる。換言すれば、使用者が浴槽１２０に対向する壁面１１２を正面とする場合、またカラン１３０を備える壁面１１４を正面とする場合のいずれにおいても、照明１５０により鏡部材１８０に光が照射されるため、使用者の作業性を向上することができ、利便性が向上する。
【００３１】
フック１６０は、後述するように大径の頭部１６２と小径の軸部１６６を有し、浴室１００内の壁面に水平方向と垂直方向にそれぞれ所定間隔ごとに複数設置される。そして、所定間隔ごとに複数設置されたフック１６０のうち、使用者が所望する位置のフック１６０の頭部１６２に後述する鏡部材１８０の掛合部１９０を掛合することにより、鏡部材１８０がフック１６０に掛着される。これにより、フック１６０の軸部１６６に鏡部材１８０を吊り下げ、壁面に鏡部材１８０を設置することが可能となる。したがって、使用者は、壁面に設置されたフック１６０を用いて、鏡部材１８０の設置位置を容易且つ自在に所望の位置に変更できるため、利便性を向上することが可能となる。
【００３２】
また、鏡部材１８０を壁面に設置するために要する部材がフック１６０のみであることから、浴室１００内の壁面の大掛かりな設計変更を伴わないため、手間とコストを要することがない。
【００３３】
更に、フック１６０が頭部１６２を有することで、吊り下げられた鏡部材１８０はフック１６０の頭部１６２により掛止されるため、鏡部材１８０のフック１６０からの脱落を防止することができる。なおフック１６０には、鏡部材１８０だけでなく、後述する収納部材２００等を吊り下げることもでき、これにより壁面に収納部材２００等を設置することが可能となる。
【００３４】
以下、フック１６０の詳細について説明する。図２は、フック１６０の詳細を示す図である。図２（ａ）はフック１６０の分解図であり、図２（ｂ）はフック１６０の斜視図であり、図２（ｃ）はフック１６０不使用時の側面図であり、図２（ｄ）はフック１６０使用時の側面図である。
【００３５】
図２（ａ）に示すように、フック１６０は、頭部１６２と、螺子１６４と、軸部１６６と、リング１６８と、ワッシャ１７０との、５つの部材から構成される。フック１６０を壁面に設置する際には、まず軸部１６６とリング１６８とワッシャ１７０を嵌合する。そして、軸部１６６の穴に螺子１６４を装嵌し、ワッシャ１７０を壁面に当接して螺子止めをすることにより、軸部１６６とリング１６８とワッシャ１７０が壁面に螺設される。螺設後に、頭部１６２をリング１６８に嵌合することにより、図２（ｂ）に示す状態となり、フック１６０が壁面に設置される。
【００３６】
フック１６０の壁面への設置後、かかるフック１６０は、使用されない場合には図２（ｃ）に示す状態となる。図２（ｃ）に示すように、フック１６０は、軸部１６６およびリング１６８が頭部１６２に収納され、頭部１６２とワッシャ１７０が接した状態となっている。これにより、フック１６０内部はほぼ密閉された状態となるため、フック１６０内部への水等の浸入を防ぐことができる。故に、フック１６０内部でのカビ等細菌類の繁殖を防止し、衛生状態を良好に保つことが可能となる。
【００３７】
また、図２（ｃ）のように不使用時のフック１６０（軸部１６６収納時）は、壁面上に頭部１６２の厚み分だけ突出した状態となる（厳密には、ワッシャ１７０の厚みも含まれる）。故に、フック１６０により壁面上には微小な凸部が形成されるが、凹部が形成されることはない。したがって、フック１６０が壁面の清掃を妨げることがなく、且つ浴室１００の美観を損ねることがない。
【００３８】
更に、図２（ｃ）に示すようにフックの頭部１６２が切欠１６２ａを有することで、切欠１６２ａの部分に指を引っ掛け、頭部１６２を白抜き矢印方向に、すなわち壁面から手前に引き出すことができる。このようにして頭部１６２を引き出すと、フック１６０は図２（ｄ）に示す状態となり、軸部１６６が露出する。これにより、フック１６０に後述する鏡部材１８０や収納部材２００等を吊り下げ可能となる。
【００３９】
そして、例えば部材を吊り下げる場所を変更する等、引き出したフック１６０を使用しなくなる場合には、引き出した頭部１６２を壁面に向かって押し込むことにより、軸部１６６は頭部１６２に収納され、図２（ｃ）に示す状態に戻る。なお、本実施形態においては、軸部１６６は頭部１６２に収納されているが、これに限定するものではなく、軸部１６６を壁面内に収納するよう構成してもよい。
【００４０】
したがって、本実施形態にかかるフック１６０によれば、上述したように、フック１６０の頭部１６２を壁面から手前に引き出すという操作でフック１６０を使用することが可能となり、フック１６０の頭部１６２を壁面に向かって押し込むという操作でフック１６０の軸部１６６を頭部１６２に収納可能となる。したがって、いずれにおいても簡単な操作でフック１６０の状態を変更することができる。
【００４１】
フック１６０は、壁面の水平方向に複数設置されるとよい。これにより、壁面に吊り下げる鏡部材１８０の位置を水平方向に自在に変更し、使用者が所望する位置に鏡部材１８０を設置することができ、浴室１００での利便性が向上する。また、壁面の水平方向に複数の鏡部材１８０等を設置したり、吊り下げに要するフック１６０を水平方向に２つ以上必要とする部材を壁面に設置したりすることが可能となる。
【００４２】
またフック１６０は、壁面の垂直方向に複数設置されるとよい。これにより、壁面に吊り下げる鏡部材１８０の位置を垂直方向に自在に変更し、使用者が所望する位置に鏡部材１８０を設置することができ、浴室１００での利便性が向上する。また、壁面の垂直方向に複数の鏡部材１８０等を設置することができ、吊り下げに要するフック１６０を垂直方向に２つ以上必要とする部材を壁面に設置したりすることが可能となる。
【００４３】
更に、上述したようにフック１６０を、壁面の水平方向に複数設置し、且つ垂直方向に複数設置するとよい。これにより、フック１６０は壁面に略碁盤目状に設置されることとなるため、壁面の水平方向且つ垂直方向の所望の位置に鏡部材１８０を設置することが可能となり、利便性が格段に向上する。
【００４４】
複数のフック１６０の水平方向の間隔は、略長方形の鏡部材１８０の短手方向の幅と略同一であるとよい。これにより、後述する鏡部材１８０を、短辺を水平にし、左右（水平方向）に２以上隣接させて壁面に設置したときに、２以上の鏡部材１８０は幅広の鏡を構成する、すなわち２以上（複数）の鏡部材１８０を一体の大きな鏡として使用することが可能となるため、利便性が向上する。
【００４５】
複数のフック１６０の垂直方向の間隔は、略長方形の鏡部材１８０の短手方向の幅と略同一であるとよい。これにより、後述する鏡部材１８０を、長辺を水平にし、上下（垂直方向）に２以上隣接させて壁面に設置したときに、２以上の鏡部材１８０は幅広の鏡を構成する、すなわち２以上（複数）の鏡部材１８０を一体の大きな鏡として使用することが可能となるため、利便性が向上する。
【００４６】
フック１６０を備える壁面は、カラン１３０を備える壁面１１４であるとよい。これにより、カラン１３０を備える壁面１１４にフック１６０が設置されるため、フック１６０に鏡部材１８０を吊り下げ、その壁面１１４に鏡部材１８０を設置することができる。
【００４７】
またフック１６０を備える壁面は、浴槽１２０に対向する壁面１１２であるとよい。これにより、浴槽１２０に対向する壁面１１２にフック１６０が設置されるため、フック１６０に鏡部材１８０を吊り下げ、その壁面に鏡部材１８０を設置することができる。
【００４８】
更に、フック１６０を備える壁面は、当該浴室１００を構成する壁面のうち、隣接する２面以上の壁面であるとよい。これにより、隣接する２面以上の壁面に鏡部材１８０を設置することができる。
【００４９】
鏡部材１８０（１８０ａ、１８０ｂ、１８０ｃ、１８０ｄ、１８０ｅおよび１８０ｆ）は、使用者が自身の姿を視認するための部材である。鏡部材１８０は、後述するように、鏡面部１８２と、フック１６０の頭部１６２に掛合される掛合部１９０とを有し、壁面に設置されたフック１６０の頭部１６２が掛合部１９０に掛合することで、鏡部材１８０が、フック１６０の軸部１６６に掛着され（吊り下がり）、壁面に設置される。したがって、使用者は、壁面に設置されたフック１６０を用いて、鏡部材１８０の設置位置を容易且つ自在に所望の位置に変更できるため、利便性が向上する。
【００５０】
以下、鏡部材１８０の詳細について説明する。図３は、鏡部材１８０の詳細を示す図である。図３（ａ）は鏡部材１８０の正面斜視図であり、図３（ｂ）は鏡部材１８０の背面斜視図である。
【００５１】
図３（ａ）および（ｂ）に示すように、鏡部材１８０は、鏡面部１８２と、枠体１８４と、基体１８６との、３つの部材から構成される。そして、鏡面部１８２と基体１８６とを嵌合し、これらを枠体１８４に装嵌することにより、鏡部材１８０が形成される。
【００５２】
図３（ｂ）に示すように、基体１８６はその背面に溝部１８８、および掛合部１９０ａ、１９０ｂ、１９０ｃ、および１９０ｄの４つからなる掛合部１９０を有する。掛合部１９０ａ、１９０ｂ、および１９０ｃは、かかる溝部１８８と一体に形成されている。このように、掛合部１９０が溝部１８８と一体に形成されており、溝部１８８の幅が掛合部１９０よりも広いことから、フック１６０に鏡部材１８０を吊り下げ、かかる鏡部材１８０を壁面に設置する際に、鏡部材１８０の背面を壁面に当接し、溝部１８８にフック１６０の頭部１６２を挿入させ、水平方向や垂直方向に収納部材２００を滑動させるだけで、フック１６０の頭部を掛合部１９０に容易に掛合させることができる。
【００５３】
掛合部１９０は、鏡部材１８０の長辺もしくは短辺のいずれか一方または両方に平行に２以上設けられることが好ましい。これにより、壁面に設置した際の鏡部材１８０の安定性を向上することができる。なお、本実施形態においては、長辺に平行に２つ、および短辺に平行２つ、計４つの掛合部１９０が基体１８６（鏡部材１８０）に設けられているが、これに限定するものではなく、適宜変更することが可能である。
【００５４】
４つの掛合部１９０のうち、掛合部１９０ｂおよび１９０ｃは、鏡部材１８０の長手方向を略水平としたときに、壁面の水平方向に所定間隔ごとに複数設置されたフック１６０に掛合される第１掛合部である。これにより、壁面の水平方向に設置された複数のフック１６０を第１掛合部（掛合部１９０ｂおよび１９０ｃ）に掛合し、鏡部材１８０を壁面に設置して、かかる鏡部材１８０を横長の鏡として使用することが可能となる。
【００５５】
４つの掛合部１９０のうち、掛合部１９０ａおよび１９０ｄは、鏡部材１８０の短手方向を略水平としたときに、壁面の垂直方向に所定間隔ごとに複数設置されたフック１６０に掛合される第２掛合部である。これにより、壁面の垂直方向に設置された複数のフック１６０を第２掛合部（掛合部１９０ａおよび１９０ｄ）に掛合し、鏡部材１８０を壁面に設置して、かかる鏡部材１８０を縦長の鏡として使用することが可能となる。
【００５６】
鏡部材１８０は略長方形または略楕円形であるとよい。これにより、使用者は好みに応じて鏡部材１８０の縦横を任意に変更することができる。すなわち、鏡部材１８０ａ、１８０ｄ、１８０ｅおよび１８０ｆのようにその長手方向（長辺）を略水平（上辺）とすれば横長の鏡として、鏡部材１８０ｂおよび１８０ｃのようにその短手方向（短辺）を略水平（上辺）とすれば縦長の鏡として使用することができ、利便性が向上する。
【００５７】
また本実施形態のように鏡部材１８０を長方形とすれば、鏡部材１８０ｂおよび１８０ｃのように、２つの鏡部材１８０を水平方向に並設したり（隣接して設けたり）、鏡部材１８０ｄ、１８０ｅおよび１８０ｆのように３つの鏡部材１８０を垂直方向に並設し、複数の鏡部材１８０を一体の大きな鏡として使用することができ、利便性が向上する。なお、本実施形態においては、鏡部材１８０ｂおよび１８０ｃを水平方向に隣接して設けているが、これに限定するものではなく、垂直方向に隣接して設けてもよい。
【００５８】
鏡部材１８０は、浴室１００に２以上設けられるとよい。これにより、上述したように鏡部材１８０を垂直方向や水平方向に並設し（隣接し）、２以上（複数）の鏡部材１８０を一体の大きな鏡として使用することができる。また複数の鏡部材１８０を各々異なる壁面に１以上、例えば図２に示すように、壁面１１２に鏡部材１８０ａを、壁面１１４に鏡部材１８０ｂおよび１８０ｃを設けることができ、親子等、複数の人間が浴室で体や髪を洗う場合に、各々別の壁面の鏡部材１８０を使用することが可能となり、利便性が向上する。
【００５９】
なお本実施形態においては、鏡部材１８０は浴室１００内に６つ設けられているが、かかる数に限定するものではない。鏡部材１８０は浴室１００内に１以上設けられればよく、好ましくは上述の如く２以上設けられるとよい。
【００６０】
図４は、溝部１８８および掛合部１９０の他の例を示す図である。図４（ａ）は溝部１８８の他の例を示す図であり、図４（ｂ）は掛合部１９０の他の例を示す図である。なお図４中、図３に示す鏡部材１８０と同一の機能および構成を示す要素については、同一の符号を付し、説明を省略する。
【００６１】
図４（ａ）に示す鏡部材２１０は、鏡面部１８２と、枠体１８４と、基体２１２との３つの部材から構成され、鏡部材１８０と同様に、鏡面部１８２と基体２１２とを嵌合し、これらを枠体１８４に装嵌することにより、鏡部材２１０が形成される。
【００６２】
鏡部材２１０の基体２１２はその背面に、溝部２１４ａおよび２１４ｂからなる２つの溝部２１４と、掛合部２１６ａ、２１６ｂ、２１６ｃ、および２１６ｄからなる４つの掛合部２１６を有する。掛合部２１６ａおよび２１６ｂは溝部２１４ａと、掛合部２１６ｃは溝部２１４ｂと一体に形成されている。これにより、鏡部材２１０は、上述した鏡部材１８０と同様の利点を得ることができる。
【００６３】
図４（ｂ）に示す鏡部材２２０は、鏡面部１８２と、枠体２２２と、基体２２４との３つの部材から構成され、鏡部材１８０と同様に、鏡面部１８２と基体２２４とを嵌合し、これらを枠体２２２に装嵌することにより、鏡部材２２０が形成される。
【００６４】
鏡部材２２０は、掛合部２２６ａおよび２２６ｂからなる２つの取手状の掛合部２２６を有し、かかる掛合部２２６は、基体２２４の背面ではなく、枠体２２２に設けられている。これにより、鏡部材２２０をフックから外し、取手状の掛合部２２８を把持することにより、使用者は鏡部材２２０を手鏡のように扱うことが可能となり、利便性が向上する。また掛合部２２６ａが鏡部材の長辺に、掛合部２２６ｂが鏡部材の短辺に設けられていることで、使用者は好みに応じて鏡部材２２０の縦横を任意に変更することが可能となる。
【００６５】
なお、本実施形態においては、鏡部材１８０、２１０および２２０は長方形であるが、かかる形状に限定するものではなく、他の形状、例えば、円形や正方形等でもよい。また、鏡部材１８０、２１０および２２０の寸法は一例であり、これに限定するものではない。
【００６６】
収納部材２００および２０２は、シャンプーやリンス等の浴室で用いられる物品を収納するための部材である。収納部材２００および２０２は、壁面に設置されたフック１６０に吊り下げられることにより、かかる壁面に設置される。
【００６７】
図５は、収納部材２００の詳細を示す図である。図５（ａ）は収納部材２００の正面斜視図であり、図５（ｂ）は収納部材２００の背面斜視図である。図５（ａ）に示すように、収納部材２００は受け皿状となっており、かかる受けの部分に、浴室１００で使用する物品を収納することができる。
【００６８】
また図５（ｂ）に示すように、収納部材２００の背面には、掛合溝２００ａが設けられている。かかる掛合溝２００ａにフック１６０を掛合することにより、収納部材２００を壁面に設置することができる。
【００６９】
図６は、収納部材２０２の詳細を示す図である。図６（ａ）は収納部材２０２の正面斜視図であり、図６（ｂ）は収納部材２０２の背面斜視図である。図６（ａ）に示すように、収納部材２０２は、収納部材２００とは異なり、線状部材にからなる受け皿状のラックである。これにより、かかる受けの部分に浴室１００で使用する物品を収納することができ、且つその部分に水が溜まることがない。したがって、収納部材２０２は、水捌けがよいという利点を有する。
【００７０】
また図６（ｂ）に示すように、収納部材２０２の背面には、掛合溝２０２ａが設けられている。これにより、かかる掛合溝２０２ａにフックを掛合し、収納部材２０２を壁面に設置することが可能となる。
【００７１】
なお、本実施形態においては、収納部材２００が有する掛合溝２００ａの数、および収納部材２０２が有する掛合溝２０２ａの数は共に２つであるが、これに限定するものではなく、適宜変更することが可能である。また収納部材２００および収納部材２０２の寸法も一例であり、これに限定されるものではない。
【００７２】
上記説明したように、本実施形態にかかる浴室１００によれば、壁面に設置されたフック１６０を用いることにより、鏡部材１８０の設置位置を容易且つ自在に変更することができ、使用者の利便性を向上できる。また、鏡部材１８０の位置変更に要する部材がフック１６０のみであるため、浴室１００内の壁面の大掛かりな設計変更を伴うことがない。
【００７３】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００７４】
本発明は、鏡部材の設置位置を自在に変更可能な壁面を備える浴室に適用することができる。
【図面の簡単な説明】
【００７５】
【図１】本実施形態にかかる浴室を示す図である。
【図２】フックの詳細を示す図である。
【図３】鏡部材の詳細を示す図である。
【図４】溝部および掛合部の他の例を示す図である。
【図５】収納部材の詳細を示す図である。
【図６】収納部材の詳細を示す図である。
【符号の説明】
【００７６】
１００  …浴室
１１２、１１４  …壁面
１１６  …床面
１２０  …浴槽
１３０  …カラン
１４０  …シャワー
１５０  …照明
１６０  …フック
１６２  …頭部
１６４  …螺子
１６６  …軸部
１６８  …リング
１７０  …ワッシャ
１８０、１８０ａ、１８０ｂ、１８０ｃ、１８０ｄ、１８０ｅ、１８０ｆ、２１０、２２０  …鏡部材
１８２  …鏡面部
１８４、２２２  …枠体
１８６、２１２、２２４  …基体
１８８、２１４ａ、２１４ｂ  …溝部
１９０、１９０ａ、１９０ｂ、１９０ｃ、１９０ｄ、２１６ａ、２１６ｂ、２１６ｃ、２１６ｄ、２２６ａ、２２６ｂ  …掛合部
２００、２０２  …収納部材
２００ａ、２０２ａ  …掛合溝
【図１】
2010110455.tif 000003
【図２】
2010110455.tif 000004
【図３】
2010110455.tif 000005
【図４】
2010110455.tif 000006
【図５】
2010110455.tif 000007
【図６】
2010110455.tif 000008